(57)【特許請求の範囲】
【請求項１】
カテーテル保持シースであって、
チューブと、
陰茎の上に嵌るように構成され前記チューブよりも大きい内径を有する円筒状のスリーブと、
前記チューブと前記スリーブとを接続する筒状の遷移区間と、を有し、
前記カテーテル保持シースは、開口を画定し、前記開口の第一の部分は、前記開口を通る尿道カテーテルのシャフトの軸方向移動を可能にするように構成され、前記開口の第二の部分は、前記尿道カテーテルのシャフトを保持するように構成されており、
前記開口の第一の部分の少なくとも一部は、前記遷移区間に設けられ、
前記開口の第二の部分は、前記チューブの内腔であり、
前記開口の第一の部分は、前記遷移区間の外面から内面に貫通する孔である、カテーテル保持シース。
【請求項２】
前記開口の第一の部分は、前記尿道カテーテルのシャフトの外径よりも大きい、請求項１に記載のカテーテル保持シース。
【請求項３】
前記開口の第一の部分は、前記尿道カテーテルが前記遷移区間の中に入ること及び通ることを可能にするように構成されている、請求項２に記載のカテーテル保持シース。
【請求項４】
前記開口の第二の部分は、前記尿道カテーテルを前記チューブの中に固定するように構成されている、請求項１に記載のカテーテル保持シース。
【請求項５】
前記尿道カテーテルが被術者に挿入された後に、前記開口の第二の部分は、前記被術者の陰茎に対する前記尿道カテーテルの移動を制限するように構成されている、請求項１に記載のカテーテル保持シース。
【請求項６】
前記開口の第二の部分は、前記尿道カテーテルのシャフトの外径とおよそ同一のサイズであるか、又はそれよりも小さい、請求項１に記載のカテーテル保持シース。
【請求項７】
前記チューブは、軸方向のスリットを画定する、請求項１に記載のカテーテル保持シース。
【請求項８】
前記チューブは、軸方向に延びるスリットを画定し、
前記スリットの隙間を介して、前記開口の第一の部分と前記開口の第二の部分とが連通する、請求項１に記載のカテーテル保持シース。
【請求項９】
前記尿道カテーテルは、真直なカテーテル又はフォーリーカテーテルを含む、請求項１に記載のカテーテル保持シース。
【請求項１０】
前記スリーブは、内面及び外面を更に備え、前記内面は、前記陰茎に付着するように構成されている接着剤を備えている、請求項１に記載のカテーテル保持シース。
【請求項１１】
前記カテーテル保持シースは、シリコーンを含む組成物から作成される、請求項１に記載のカテーテル保持シース。
【請求項１２】
前記カテーテル保持シースは、シリコーンゴムから作成される、請求項１に記載のカテーテル保持シース。
【請求項１３】
前記スリーブは、それ自身の上に外側に巻かれた弾力性材料を含み、
前記スリーブは、外面及び内面を有し、前記スリーブの外面は、接着剤の層に接触し、前記接着剤の層は、前記スリーブの内面に接触する、請求項１に記載のカテーテル保持シース。
【請求項１４】
前記接着剤は、親水コロイド組成物を含む、請求項１３に記載のカテーテル保持シース。
【請求項１５】
前記接着剤は、１つ以上の連続的な巻きの内面と外面との間にあり、それにより、前記接着剤は、前記スリーブが巻かれた状態にあるとき、前記内面によって覆われている、請求項１３に記載のカテーテル保持シース。
【請求項１６】
カテーテルシステムであって、
シャフトを備えている尿道カテーテルと、
カテーテル保持シースとを備え、
前記カテーテル保持シースは、
チューブと、
陰茎の上に嵌るように構成されている前記チューブよりも大きい内径を有する円筒状のスリーブと、
前記チューブと前記スリーブとを接続する筒状の遷移区間と、を有し、
前記カテーテル保持シースは、開口を画定し、前記開口の第一の部分は、前記開口を通る前記尿道カテーテルのシャフトの軸方向移動を可能にするように構成され、前記開口の第二の部分は、前記尿道カテーテルのシャフトを保持するように構成されており、
前記開口の第一の部分の少なくとも一部は、前記遷移区間に設けられ、
前記開口の第二の部分は、前記チューブの内腔であり、
前記開口の第一の部分は、前記遷移区間の外面から内面に貫通する孔である、カテーテルシステム。
【発明の詳細な説明】
【技術分野】
【０００１】
（優先権）
[0001]
本願は、米国特許出願第１３／６８２，４０６号（２０１２年１１月２０日出願）の優先権の利益を主張し、本明細書において参照によってその全体が援用される。
【０００２】
（発明の分野）
[0002]
本発明は、男性被術者の尿路の中に真直な又はフォーリーカテーテルを固定する装置に関する。装置は、被術者の陰茎に結合することができる部分、及び真直又はフォーリーカテーテルに結合することができる部分を含む。本発明は、また、この装置を作成する方法、及び使用する方法に関し、並びに装置及び真直又はフォーリーカテーテルを含む組立体に関する。
【背景技術】
【０００３】
[0003]
尿道カテーテルが被術者の尿道又は膀胱の中にあるとき、尿道カテーテルの移動は、被術者にとって不快であり得る。カテーテルが被術者の尿道の中に挿入された後に、カテーテルの移動を低減又は排除することができる装置の必要が依然として存在している。
【発明の概要】
【課題を解決するための手段】
【０００４】
[0004]
本発明は、カテーテル保持シースを含む。カテーテル保持シースは、陰茎の上に嵌るように構成されているシースを含むことができる。シースは、カテーテル保持具を含むことができ、カテーテル保持具は、尿道カテーテルのシャフトに結合するように構成することができる。カテーテル保持具は、開口を画定することができる。開口の第一の部分は、開口を通る尿道カテーテルのシャフトの軸方向移動を可能にするように構成することができる。開口の第二の部分は、尿道カテーテルのシャフトを保持するように構成することができる。
【０００５】
[0005]
本発明は、被術者をカテーテル処置する方法を含む。この方法は、カテーテル保持シースを提供する工程を含むことができる。このカテーテル保持シースは、尿道カテーテルのシャフトに結合するように構成されるカテーテル保持具を含むことができる。カテーテル保持具は、開口を画定することができる。開口の第一の部分は、尿道カテーテルのシャフトの開口を通る軸方向移動を可能にするように構成することができる。開口の第二の部分は、尿道カテーテルのシャフトを保持するように構成することができる。この方法は、また、尿道カテーテルのシャフトを開口の第一の部分の中に挿入する工程と、尿道カテーテルのシャフトの一部分を被術者の尿道の中に挿入する工程と、尿道カテーテルのシャフトを開口の第一の部分から開口の第二の部分の中に動かす工程と、を含む。
【０００６】
[0006]
本発明は、カテーテル保持シースを作成する方法を含む。この方法は、シリコーンゴムをマンドレルの一部分に適用する工程と、シリコーンゴムに開口を形成する工程と、を含む。開口の第一の部分は、開口を通る尿道カテーテルのシャフトの軸方向移動を可能にするように構成することができる。開口の第二の部分は、尿道カテーテルのシャフトを保持するように構成することができる。この方法は、また、開口を画定するカテーテル保持シースを形成するためにシリコーンゴムを硬化させる工程を含む。
【０００７】
[0007]
一実施形態において、本発明は、カテーテルシステムを含む。カテーテルシステムは、シャフトを有する尿道カテーテル、及び本カテーテル保持シースを含む。
【図面の簡単な説明】
【０００８】
【図１】[0008]  本発明にしたがう、本カテーテル保持具、及びシャフトを含む尿道カテーテルの実施形態を含むカテーテルシステムの実施形態を概略的に表している。
【図２】[0009]  本カテーテル保持具の実施形態を概略的に表している。
【図３】[0010]  ルーメンの実施形態及びスリットの実施形態を示す本チューブの実施形態を概略的に表している。
【図４】[0011]  本発明にしたがう、本カテーテル保持具、及びシャフトを含む尿道カテーテルの実施形態を含むカテーテルシステムの実施形態を概略的に表している。尿道カテーテルは、カテーテル保持開口部の実施形態の中に示されている。
【図５】[0012]  巻かれたシース部分を含む本カテーテル保持シースの断面図を概略的に表している。
【図６】[0013]  開口部を画定するタブ形状の遷移区間を含む本カテーテル保持器の実施形態を概略的に表している。
【発明を実施するための形態】
【０００９】
[0014]
本発明は、男性被術者の尿路の中に尿道カテーテル（例えば、真直又はフォーリーカテーテル）を固定する装置に関する。装置は、被術者の陰茎に結合することができる部分、及び真直又はフォーリーカテーテルに結合することができる部分を含む。被術者の陰茎に結合することができる部分は、陰茎、例えば通常の弛緩した陰茎に嵌るように構成されているシース又はコンドームの形態であることができる。シース又はコンドーム部分、及び尿道カテーテルに結合する部分を含む装置は、カテーテル保持シースと呼ばれることができる。
【００１０】
[0015]
尿道カテーテルに結合するカテーテル保持シースの部分は、２つの部分を有する開口を画定することができる。開口の第一の部分は、尿道カテーテルがこの第一の部分を通って（少なくともそのシャフトの軸の方向に）自由に動くことができるように構成されている。この開口の第一の部分は、尿道カテーテルのシャフトの外径よりも大きくあることができ、尿道カテーテルがシース又はコンドーム部分の中に入ること及び通ることを可能にすることができる。開口の第二の部分は、尿道カテーテルの移動を制限するように構成することができる。例えば、開口のこの第二の部分は、リラックスした状態においては、尿道カテーテルのシャフトの外径とおよそ同一のサイズであるか、又はそれよりも小さくあることができる。尿道カテーテルは、開口のこの第二の部分に収容されて、シース及び被術者に対して（少なくともそのシャフトの軸の方向における）その移動が制限することができる。
【００１１】
[0016]
尿道カテーテルに結合するカテーテル保持シースの部分は、開口の第二の部分の一部または全部を画定する首部分を含むことができる。この首部分は、例えば、自身に沿ってスリットを有するチューブであって、シース部分に結合されるチューブを含むことができる。
【００１２】
[0017]
本発明は、カテーテル保持シースを含む。カテーテル保持シースは、陰茎の上に嵌るように構成されているシースを含むことができる。シースはカテーテル保持具を含むことができ、カテーテル保持具は、尿道カテーテルのシャフトに結合するように構成することができる。カテーテル保持具は、開口を画定することができる。開口の第一の部分は、開口を通る尿道カテーテルのシャフトの軸方向移動を可能にするように構成することができる。開口の第二の部分は、尿道カテーテルのシャフトを保持するように構成することができる。
【００１３】
[0018]
一実施形態において、開口の第一の部分は、尿道カテーテルのシャフトの外径よりも大きい。例えば、開口の第一の部分は、尿道カテーテルがカテーテル保持シースのシース又はコンドーム部分の中に入ること及び通ることを可能にするように構成することができる。
【００１４】
[0019]
一実施形態において、開口の第二の部分は、シースの中に尿道カテーテルを固定するように構成される。一実施形態において、尿道カテーテルが被術者に挿入された後に、開口の第二の部分は、被術者の陰茎及び膀胱に対する尿道カテーテルの移動を制限するように構成される。例えば、開口の第二の部分は、リラックス状態において、尿道カテーテルのシャフトの外径とおよそ同一のサイズであるか又はそれよりも小さい。一実施形態において、カテーテル保持具は、開口の第一の部分を開口の第二の部分に結合するスリットを画定する。
【００１５】
[0020]
一実施形態において、本カテーテル保持シースは、開口の第二の部分の一部または全部を画定する首部分を含む。一実施形態において、首部分は、シースに結合されたチューブを含み、チューブは軸方向スリットを画定する。一実施形態において、カテーテル保持具は、開口の第二の部分の一部または全部を画定するより厚い材料の一体的円錐形部分を含む。
【００１６】
[0021]
本カテーテル保持シースは、様々な尿道カテーテルのうちの任意のものと一緒に使用することができる。好適な尿道カテーテルは、真直なカテーテル及びフォーリーカテーテルを含む。
【００１７】
[0022]
一実施形態において、シースは、内面及び外面を含み、内面は、陰茎に付着するように構成されている接着剤を含む。例えば、シースは、それ自身の上に外側に巻かれた弾力性材料の管状スリーブ部材を含み、スリーブ部材は、外面及び内面を有する。スリーブ部材の外面は、接着剤の層に接触することができ、接着剤の層はスリーブ部材の内面に接触することができる。一実施形態において、接着剤は、親水コロイド組成物を含むか、又は親水コロイド組成物である。一実施形態において、接着剤組成物が一つ以上の連続的な巻きの内面と外面との間にあることにより、接着剤は、シースが巻かれた状態にあるとき、内面によって覆われている。
【００１８】
[0023]
一実施形態において、本カテーテル保持シースは、弾力性材料から作成され、シースを陰茎の上に保持するように構成されている接着バンドを含む。
【００１９】
[0024]
一実施形態において、カテーテル保持シースは、シリコーンを含む組成物から作成される。例えば、カテーテル保持シースは、シリコーンゴムから作成することができる。一実施形態において、カテーテル保持シースは、シリコーンゴムからなる。
【００２０】
[0025]
一実施形態において、本発明は、カテーテルシステムを含む。カテーテルシステムは、シャフトを有する尿道カテーテル、及び本カテーテル保持シースを含む。
【００２１】
[0026]
図示された実施形態
図１は、本発明にしたがうカテーテル保持シース、及び真直尿道カテーテルの実施形態を概略的に図示している。カテーテル保持具１は、スリーブ３、チューブ５、及びスリーブ３とチューブ５との間の遷移区間７を含む。スリーブ３は、その巻かれた構成で図示されている。遷移区間７は、カテーテル点検用窓９を画定し、これは真直尿道カテーテル１１の移動を可能にするように構成されている。図１において、真直尿道カテーテル１１は、例えば、被術者への挿入に好適な構成にあるカテーテル点検用窓９を通って突出しているように示されている。チューブ５は、（図２及び３に示されている）カテーテル保持開口を画定し、これは、真直尿道カテーテル１１の移動を低減、又は固定するように構成されている。
【００２２】
[0027]
図２は、図１のカテーテル保持具１の別の図を概略的に表しており、チューブ５、カテーテル点検用窓９、及びスリット１３を示し、これはチューブ５によって画定されている。スリット１３及びチューブ５のルーメン（図３に示されている）は、カテーテル保持開口部１５を形成する。図３は、チューブ５を概略的に図示してルーメン１７及びスリット１３を示し、これらはカテーテル保持開口１５を形成する。
【００２３】
[0028]
図４は、チューブ５によって画定されたカテーテル保持開口部１５の中に真直尿道カテーテルを有しているカテーテル保持具１の実施形態を概略的に図示している。真直尿道カテーテル１１は、カテーテル点検用窓９からルーメン１７の中へ付勢することができる。一実施形態において、真直尿道カテーテル１１は、カテーテル保持開口部の中に設置される前に、既に被術者の尿道の中に挿入されている。スリーブ３は、図４に示されていないが、真直尿道カテーテル１１が被術者の尿道の中に挿入されるときには、巻かれた構成であり、次に、挿入後に被術者の陰茎の上へと巻きを解かれる。
【００２４】
[0029]
図５は、真直尿道カテーテル１１、点検用窓９、又はスリット１３を示さずに、カーテル保持具１の実施形態の特徴を概略的に図示している。この実施形態において、カテーテル保持具１は、スリーブ３と、チューブ５と、スリーブ３とチューブ５との間の遷移区間７とを含む単体構造を有している。カテーテル保持具１は、シリコーンゴムから作成することができる。カテーテル保持具１は、内面１９及び外面２１を有する。製造後、及び使用前の貯蔵中、カテーテル保持具１は、図１に示されているような使用前構成であることができ、スリーブ３の第一の部分２３は、それ自身の上に巻かれていることにより、以下で示される場合を除いて、内面１９が外面２１に対して巻かれて外面２１と接触するようになる。スリーブ３の大部分の内面１９と外面２１との間に接着剤層２５を挿入することができる。スリーブ３が巻きを解かれるとき、接着剤層２５は内面１９に付着して、外面２１には付着しない。そのような事象の理由は、以下で更に詳細に論じられる。接着剤層２５は、また、遷移区間７の有意な部分の上に形成された第二の部分２７を含むことができる。接着剤層２５の第一の部分２９と第二の部分２７とは、遷移区間７が形態をスリーブ３に変えるとき、連続していることができる。
【００２５】
[0030]
スリーブ３は、だらんとした陰茎に適している直径を有する円筒に形成することができる。スリーブ３は、約２．５センチメートル〜約１３センチメートル（約１インチ〜約５インチ）の長さを有することができる。スリーブ３の長さは、スリーブ３の内面の上の接着剤層２５の第一の部分２３と陰茎軸との間に十分な固定付着力を提供するのに十分な程に長く選択することができるが、スリーブ３は、陰茎が骨盤の皮膚に対して陰茎軸の全長を露出するように外側に引かれたときに、完全に巻きを解かれることができる程には長くない。第一の部分２９は、スリーブ３の開放端に隣接したその内面の上の接着剤のない帯域３１を除いて、スリーブ２２の内面の全てを含むことができる。帯域３１は、自由な端部を装置の実践者又は使用者に提供することにより、据え付けられているカテーテル保持具１を除去するために、その端部を把持してスリーブ３をそれ自身の上に又は別様に巻き戻し始めることができる。
【００２６】
[0031]
遷移区間７は、スリーブ３からチューブ５までの直径の減少を提供する。接着剤が第一の部分２９の上の親水コロイドに隣接して適用することができる第二の部分２７は、遷移区間７の円錐形部分の大部分を含む。一実施形態において、第二の部分２７は、亀頭に接触し、付着するために、遷移区間７の範囲内に有利に大きい接着剤表面を提供することができる。一実施形態において、頂端部分３３は、チューブ５に接続し、これに開いているが、接着剤を伴っていない。スリーブ３は、使用前構成で巻かれることができる。それゆえに、遷移区間７の内面１９の第二の部分２７は、露出されてもよい（もっとも、カテーテル保持具１全体はパッケージの中に適切に保護することができる）。スリーブ３及び遷移区間７は、接着剤が陰茎に付着するように、それらが陰茎の形状に順応させられることを可能にする厚みを有することができる。チューブ５は、その形状を保持し、真直尿道カテーテル１１の適切な保持を提供するために、より大きな厚みを有する。
【００２７】
[0032]
チューブ５は、より小さな直径の区間３５とより大きな直径の区間３７とで形成される場合に、その形状を保持する（例えば、崩れない）構造を提供するように構成することができる。装置は、区間３５と区間３７との間に延在している随意の短い遷移首部３９を含むことができる。一実施形態において、遷移区間７の円錐形状の狭い部分が、より大きな直径の区間３７と遷移区間７の残りの部分との間に延在し、その結果、より薄い厚みを有する遷移区間７のより大きな部分に繋がるより厚い厚みの短い部分を提供することができる。
【００２８】
[0033]
接着剤層２５は内面１９を付着しているけれども、スリーブ３が巻きを解かれると、接着剤層２５は外面２１に付着しない。接着剤層２５は、内面１９に単に付着することができるか、又はその代わりに触媒作用、例えば加硫処理（この処理において、粘着性組成物の成分は、加硫処理中に加硫処理されないシリコーンゴム溶液オーバーコート層から形成されるシリコーンゴム内の成分に架橋される）によって内面１９に結合することができる。一旦、接着剤層２５が内面１９に付着されて結合され、外面が（例えば、以下に記述されるプロセスにしたがって）形成されると、接着剤はもはや不可逆的に外面２１に付着することはない。接着剤は解放可能に外面２１に付着しているが、中程度の力が表面を分離すると、結果的に接着剤は内面１９に依然として付着している。接着剤層２５と外面２１との接触は、「解放可能な接触」又は「解放可能な付着」と呼ばれる。示されるように、この形式の接触又は付着は、それが親水コロイドを接触している表面から比較的容易に分離することを可能にすることを特徴としている。
【００２９】
[0034]
図６は、タブ形状の遷移区間７がカテーテル点検用窓９及びカテーテル保持開口部１５を画定している本カテーテル保持具１の実施形態を概略的に図示している。
【００３０】
シース
[0035]
カテーテル保持具は、陰茎の上に嵌る管状スリーブ又はシースを伴う様々な構成のうちの任意のものを有することができる。管状スリーブ又はシースは、弾力性材料（例えば、シリコーンゴム）から作成されることができ、内面及び外面を有することができる。一実施形態において、本カテーテル保持具は、通常の弛緩した陰茎の周りに嵌るようなサイズにされたシースを含む。
【００３１】
[0036]
シースは、それ自身の上に外側に巻かれて連続的により大きな巻きを形成する柔軟な円筒形部材を含むことができる。この円筒形部材は、連続的な巻き同士の間に接着剤組成物を有することができる。円筒形部材の外面は、部材が巻きを解かれたときに接着剤組成物を解放することができ、円筒形部材の内面は、部材が巻きを解かれたときに接着剤を保持する。この方法において、シースは、部材の連続的な巻き同士の間に保護された接着剤組成物を格納されてもよく、部材を陰茎の上に巻きを解いて、接着剤が外面から解放することを可能にし、接着剤が内面及び陰茎に付着することを可能にすることによって使用されてもよい。
【００３２】
接着剤
[0037]
接着剤組成物は、内面の一部の上に存在することができる。包装中及び使用前において、管状スリーブ又はシースは、それ自身の上に巻かれることができる。巻かれた構成において、管状スリーブ又はシースは、接着剤組成物を環境から隔離することができる。例えば、接着剤組成物は、巻かれたスリーブ又はシースの層同士の間に存在することができる。巻かれた構成において、スリーブ又はシースの外面は、接着剤組成物の層と接触することができ、接着剤組成物の層は、スリーブ又はシースの内面と接触することができる。例えば、接着剤組成物が一つ以上の連続的な巻きの内面と外面との間に存在できることにより、シースが巻かれると接着剤が内面によって覆われる。
【００３３】
[0038]
一実施形態において、接着剤組成物は、内面の一部分に直接的に、及び解放不可能に接合されている層の形態である。接着剤組成物は、外面の一つ以上の部分に解放可能に接触することができる。シリコーンゴムシースの内面は、外面に巻かれることができる。内面の部分にある接着剤組成物の層は、外面の一つ以上の部分と解放可能に接触するに至る。外面の接着剤組成物は、次に、シリコーンゴムシースが強制的に巻きを解かれるとき、それが接触するに至った外面から自身を解放することができ、その一方で、内面に接合された状態のままである。
【００３４】
[0039]
接着剤は、親水コロイド組成物又は接着剤であることができるか、又はそれらを含むことができる。親水コロイドは、皮膚及びカテーテル材料の両方との（強い）付着特性並びに適合性を有することができる。親水コロイド組成物は、アクリル系感圧接着剤、ポリアクリル酸ポリマー、及び随意に中和剤を含むことができる。ポリアクリル酸ポリマーは、架橋ポリアクリル酸ポリマーであることができる。そのような架橋ポリマーは、有効なレオロジー変性及び向上した自己湿潤性を提供する。好適なポリアクリル酸ポリマーは、Ｌｕｂｒｉｚｏｌ（Ｃｌｅｖｅｌａｎｄ，Ｏｈｉｏ）による商品名ＣＡＲＢＯＰＯＬ  ＵＬＴＲＥＺ  １０  ＮＦＲ（登録商標）の下で販売されているものを含む。好適な中和剤は、アミン、例えばアミノメチルプロパノールを含む。
【００３５】
[0040]
好適なアミノメチルプロパノールは、アンガス（ダウケミカルの子会社）による商品名ＡＭＰ−９５（登録商標）の下で販売されているものを含む。商品は、９３〜９７重量％の２−アミノ−２−メチル−１−プロパノール及び約５％の水を含む。特定の実施形態においては、例えば、本願において列挙された中和剤の量は、約０．９３、約０．９７、約０．９３〜約０．９７を掛けられることができる。特定の実施形態においては、本願において列挙された中和剤の量は、約９３〜９７重量％の２−アミノ−２−メチル−１−プロパノールを含む中和剤原液にあてはまる。
【００３６】
[0041]
カテーテル保持具を作成するために、親水コロイドプレ組成物は、約９０〜約９９．９９重量％のアクリル系感圧接着剤及び溶剤（約３５〜約４５重量％の固形物（例えば、接着剤組成物）、残りは溶剤）、約０．０１〜１０重量％（例えば、約０．５重量％）のポリアクリル酸ポリマー、並びに、随意に約０．０１〜５重量％（例えば、約０．５重量％）の中和剤を含むことができる。一実施形態において、親水コロイドプレ組成物は、約９０〜約９９．９９重量％のアクリル系感圧接着剤及び溶剤（約３５〜約４５重量％の固形物（例えば、接着剤組成物）、残りは溶剤）、並びに約０．０１〜約１０重量％ポリアクリル酸ポリマー及び中和剤であって、中和剤とポリアクリル酸ポリマーとは約０．９〜約１（例えば、０．９：１）の比率であるものを含むことができる。中和剤の量は、追加の塩基性をポリアクリル酸と中和剤との混合物に加えることなくポリアクリル酸ポリマーを中和するのにちょうど十分であることができる。一実施形態において、中和剤及びポリアクリル酸ポリマーは、０．７〜０．９９：０．９５〜１．２（例えば、０．９：１）の比率である。一旦カテーテル又はマンドレルの上で乾燥又は硬化させられると、親水コロイド接着剤組成物は、約５５〜約９９．９８重量％のアクリル系感圧接着剤、約０．０２〜約３０重量％のポリアクリル酸ポリマー、及び随意に約０．０２〜約１５重量％の中和剤を含むことができる。
【００３７】
[0042]
カテーテル保持具を作成するために、親水コロイドプレ組成物は、約９０〜約９９．９９重量％のアクリル系感圧接着剤及び溶剤（約３５〜約４５重量％の固形物（例えば、接着剤組成物）、残りは溶剤）、約０．０１〜約１０重量％（例えば、約０．５重量％）のポリアクリル酸ポリマー、並びに随意に約０．０１〜５重量％（例えば、約０．５重量％）の中和剤を含むことができる。一実施形態において、親水コロイドプレ組成物は、約９０〜約９９．９９重量％のアクリル系感圧接着剤及び溶剤（約３５〜約４５重量％の固形物（例えば、接着剤組成物）、残りは溶剤）、約０．０１〜約１０重量％（例えば、約０．５重量％）のポリアクリル酸ポリマー、並びに約０．０１〜約５重量％（例えば、約０．５重量％）の中和剤を含むことができる。一実施形態において、親水コロイドプレ組成物は、約９６〜約９９．６重量％のアクリル系感圧接着剤及び溶剤（約３５〜約４５重量％の固形物（例えば、接着剤組成物）、残りは溶剤）、約０．２〜２重量％のポリアクリル酸ポリマー、並びに約０．２〜約２重量％の中和剤を含むことができる。一実施形態において、親水コロイドプレ組成物は、約９８〜約９９．４重量％のアクリル系感圧接着剤及び溶剤（約３５〜約４５重量％の固形物（例えば、接着剤組成物）、残りは溶剤）、約０．３〜１重量％のポリアクリル酸ポリマー、並びに約０．３〜約１重量％の中和剤を含むことができる。一実施形態において、親水コロイドプレ組成物は、約９９重量％のアクリル系感圧接着剤及び溶剤（約３５〜約４５重量％の固形物（例えば、接着剤組成物）、残りは溶剤）、約０．５重量％のポリアクリル酸ポリマー、並びに約０．５重量％の中和剤を含むことができる。
【００３８】
[0043]
一実施形態において、親水コロイドプレ組成物は、約９０〜約９９．９９重量％のアクリル系感圧接着剤及び溶剤（約３５〜約４５重量％の固形物（例えば、接着剤組成物）、残りは溶剤）を含むことができる。一実施形態において、親水コロイドプレ組成物は、約９６〜約９９．６重量％のアクリル系感圧接着剤及び溶剤（約３５〜約４５重量％の固形物（例えば、接着剤組成物）、残りは溶剤）を含むことができる。一実施形態において、親水コロイドプレ組成物は、約９８〜約９９．４重量％のアクリル系感圧接着剤及び溶剤（約３５〜約４５重量％の固形物（例えば、接着剤組成物）、残りは溶剤）を含むことができる。一実施形態において、親水コロイドプレ組成物は、約９９重量％のアクリル系感圧接着剤及び溶剤（約３５〜約４５重量％の固形物（例えば、接着剤組成物）、残りは溶剤）を含むことができる。
【００３９】
[0044]
一実施形態において、親水コロイドプレ組成物は、約０．０１〜１０重量％（例えば、約０．５重量％）のポリアクリル酸ポリマーを含むことができる。一実施形態において、親水コロイドプレ組成物は、約０．２〜約２重量％のポリアクリル酸ポリマーを含むことができる。一実施形態において、親水コロイドプレ組成物は、約０．３〜約１重量％のポリアクリル酸ポリマーを含むことができる。一実施形態において、親水コロイドプレ組成物は、約０．５重量％のポリアクリル酸ポリマーを含むことができる。
【００４０】
[0045]
一実施形態において、親水コロイドプレ組成物は、付加された中和剤を全く含まない。一実施形態において、親水コロイドプレ組成物は、中和剤を全く含まない。一実施形態において、親水コロイドプレ組成物は、約０．０１〜約５重量％（例えば、約０．５重量％）の中和剤を含むことができる。一実施形態において、親水コロイドプレ組成物は、約０．２〜約２重量％の中和剤を含むことができる。一実施形態において、親水コロイドプレ組成物は、約０．３〜約１重量％の中和剤を含むことができる。一実施形態において、親水コロイドプレ組成物は、約０．５重量％の中和剤を含むことができる。
【００４１】
[0046]
一旦カテーテル又はマンドレルにおいて乾燥又は硬化させられると、親水コロイド接着剤組成物は、約５５〜約９９．９８重量％のアクリル系感圧接着剤、約０．０２〜約３０重量％のポリアクリル酸ポリマー、及び随意に約０．０２〜約１５重量％の中和剤を含むことができる。一実施形態において、親水コロイド接着剤組成物は、約５５〜約９９．９６重量％のアクリル系感圧接着剤、約０．０２〜３０重量％のポリアクリル酸ポリマー、及び約０．０２〜約１５重量％の中和剤を含むことができる。一実施形態において、親水コロイド組成物は、約９０〜約９９．４重量％のアクリル系感圧接着剤、約０．３〜約５重量％のポリアクリル酸ポリマー、及び約０．３〜約５重量％の中和剤を含むことができる。一実施形態において、親水コロイド組成物は、約９４〜約９９重量％のアクリル系感圧接着剤、約０．５〜約３重量％のポリアクリル酸ポリマー、及び約０．５〜約３重量％の中和剤を含むことができる。一実施形態において、親水コロイド組成物は、約９７〜約９８重量％のアクリル系感圧接着剤、約１〜約１．５重量％のポリアクリル酸ポリマー、及び約１〜約１．５重量％の中和剤を含むことができる。一実施形態において、親水コロイド組成物は、約９７重量％のアクリル系感圧接着剤、約１．５重量％のポリアクリル酸ポリマー、及び約１．５重量％の中和剤を含むことができる。一実施形態において、親水コロイド組成物は、約９８重量％のアクリル系感圧接着剤、約１重量％のポリアクリル酸ポリマー、及び約１重量％の中和剤を含むことができる。
【００４２】
[0047]
一旦カテーテル又はマンドレルにおいて乾燥又は硬化させられると、親水コロイド接着剤組成物は、約５５〜約９９．９８重量％のアクリル系感圧接着剤を含むことができる。一実施形態において、親水コロイド接着剤組成物は、約５５〜約９９．９６重量％のアクリル系感圧接着剤を含むことができる。一実施形態において、親水コロイド組成物は、約９０〜約９９．４重量％のアクリル系感圧接着剤を含むことができる。一実施形態において、親水コロイド組成物は、約９４〜約９９重量％のアクリル系感圧接着剤を含むことができる。一実施形態において、親水コロイド組成物は、約９７〜約９８重量％のアクリル系感圧接着剤を含むことができる。一実施形態において、親水コロイド組成物は、約９７重量％のアクリル系感圧接着剤を含むことができる。一実施形態において、親水コロイド組成物は、約９８重量％のアクリル系感圧接着剤を含むことができる。
【００４３】
[0048]
一旦カテーテル又はマンドレルにおいて乾燥又は硬化させられると、親水コロイド接着剤組成物は、約０．０２〜約３０重量％のポリアクリル酸ポリマーを含むことができる。一実施形態において、親水コロイド組成物は、約０．０２〜３０重量％のポリアクリル酸ポリマーを含むことができる。一実施形態において、親水コロイド組成物は、約０．３〜５重量％のポリアクリル酸ポリマーを含むことができる。一実施形態において、親水コロイド組成物は、約０．５〜３重量％のポリアクリル酸ポリマーを含むことができる。一実施形態において、親水コロイド組成物は、約１〜約１．５重量％のポリアクリル酸ポリマーを含むことができる。一実施形態において、親水コロイド組成物は、約１．５重量％のポリアクリル酸ポリマーを含むことができる。一実施形態において、親水コロイド組成物は、約１重量％のポリアクリル酸ポリマーを含むことができる。
【００４４】
[0049]
一旦カテーテル又はマンドレルにおいて乾燥又は硬化させられると、親水コロイド接着剤組成物は、約０．０２〜約１５重量％の中和剤を含むことができる。一実施形態において、親水コロイド組成物は、約０．０２〜約１５重量％の中和剤を含むことができる。一実施形態において、親水コロイド組成物は、約０．３〜約５重量％の中和剤を含むことができる。一実施形態において、親水コロイド組成物は、約０．５〜約３重量％の中和剤を含むことができる。一実施形態において、親水コロイド組成物は、約１〜約１．５重量％の中和剤を含むことができる。一実施形態において、親水コロイド組成物は、約１．５重量％の中和剤を含むことができる。一実施形態において、親水コロイド組成物は、約１重量％の中和剤を含むことができる。
【００４５】
[0050]
親水コロイドは、生体付着性物を含むことができる。好適な生体付着性物の例は、ポリ（イソブチレン）及びアクリル接着剤を含む。親水コロイドは、生体付着性物と緊密に混合されることにより、一体材料を生成することができる。
【００４６】
[0051]
他の好適な親水コロイドは、天然ゴム、例えば植物滲出液（アラビアゴム、ガティ、カラヤ、及びタラカント）、植物シードガム（ガー、イナゴマメ、及びアカシア）、海藻抽出物（寒天、アルギン、アルギン酸塩、及びカラゲニン）、穀類ゴム（デンプン、及び化工デンプン）、発酵又は微生物ゴム（デキストラン、及びキサンタンガム）、改質セルロース（ヒドロキシメチルセルロース、微結晶性セルロース、及びカルボキシメチルセルロース）、ペクチン、ゼラチン、カゼイン及び合成ゴム（ポリビニルピロリドン、低メトキシルペクチン、アルギン酸プロピレングリコールエステル、カルボキシメチルローカストビーンガム、及びカルボキシメチルガーゴム）、並びに水膨潤性又は水和性親水コロイドを含む。用語の親水コロイドは、水和の状態を問わず使用される。
【００４７】
[0052]
親水コロイド組成物は、様々な成分を含むことができる。親水コロイド組成物は、例えば、接着剤基剤、ゲル化剤、吸収剤、硬化剤、抗菌剤、又はこれらの混合物を含むことができる。
【００４８】
[0053]
好適な接着剤基剤は、ポリイソブチレン及びアクリルを含み、その両方は、皮膚及びカテーテル材料に対する生体親和性及び強い接着性という望ましい特性を備えている。他の好適な接着剤基剤は、様々な非毒性ポリマーのうちの任意のもの、例えば、スチレン、ブタジエン、スチレンイソプレンブロックコポリマー、ウレタン、シリコーン、スチレンブタジエンコポリマー、アクリル酸メチルコポリマー、アクリル酸、ポリアクリレート、及びこれらの混合物又はコポリマーを含む。
【００４９】
[0054]
好適な基剤は、粘膜表面及び露出真皮と適合性を有することができる、上皮への適用のための生体接着剤を含む。ポリイソブチレン（ＰＩＢ）が使用される場合、好適な型式は、ホットメルトであって、溶剤を伴わない高分子量（「ＭＷ」）化合物である。許容可能な高ＭＷポリイソブチレンの例は、エクソン社から入手可能であって、１１７，０００〜１３５，０００ダルトンの範囲内のＭＷを有する「ＶＩＳＴＡＮＥＸ（登録商標）Ｌ−１４０」である。組成物は、１１，６００〜１２，３００ダルトンの範囲内のＭＷを有する「ＶＩＳＴＡＮＥＸ（登録商標）ＬＭＨ」のような低ＭＷポリイソブチレンを含むことができる。組成物は、１０５，０００〜１２５，００ダルトンの範囲内のＭＷを有し、Ｓｃｈｅｎｅｃｔｅｄｙ  Ｎ．Ｙ．のＳｃｈｅｎｅｃｔｅｄｙ  Ｉｎｔｅｒｎａｔｉｏｎａｌ社から入手可能である「ＨＲＪ−４３２６」のような高ＭＷアクリル接着剤を含むことができる。組成物は、８１，０００〜９１，０００ダルトンの範囲内のＭＷを有し、Ｓｃｈｅｎｅｃｔｅｄｙ  Ｉｎｔｅｒｎａｔｉｏｎａｌ社から入手可能である「ＨＲＪ−１０７５３」のような低ＭＷアクリル接着剤を含むことができる。親水コロイド組成物についての一実施形態において、接着剤基剤は、約２０〜約６０重量％の親水コロイド組成物を作成する。
【００５０】
[0055]
本明細書において使用される用語「生体接着剤」は、皮膚又は粘膜組織のような生物学的な表面に付着するか、又は例えば強く固着することができる接着剤を意味する。好適な生体接着剤は、湿った、濡れた、生体内の、又は試験管内の環境において接着力を維持できるものを含む。表面への親水コロイド組成物の接着強度は、米国特許第４，６１５，６９７号において開示されているように、力を計測するための標準試験によって、例えばダイン毎平方センチメートル単位で測定することができる。
【００５１】
[0056]
好適なゲル剤は、水又は水溶液に晒されると、固形ゲル、ゼラチン、又は高粘度液を形成する生体適合性化合物を含む。好適なゲル剤は、アルギン酸ナトリウム、ペクチン、ゼラチン、及び寒天を含む。
【００５２】
[0057]
好適な吸収剤は、ケイ酸カルシウム、及び天然又は合成の多糖類を含む。好適な多糖類は、メチルセルロース、アセチルセルロース、カルボキシメチルセルロース、ヒドロキシエチルセルロースのようなセルロース誘導体を含む。
【００５３】
[0058]
特定の吸収剤は、水又は房水をコロイド塊の中に吸収及び保持する能力を備えている。一般的な水和コロイド塊において、吸収される水又は房水は、吸収剤の重さの何倍かであり得る。これらの吸収剤は、皮膚及び粘膜に付着することができる固体コロイドの形成に使用するために知られ、単独で又は様々な接着剤基剤と組み合わせて使用される他の物質とともに、カラヤゴム、トラガカントゴム、ペクチン、ガーゴム、セルロースのような多糖類、及びメチルセルロース、プロピルセルロース、アセチルセルロースなどのようなセルロース誘導体を含む。
【００５４】
[0059]
他の好適な吸収剤は、部分的にエステル化されたポリアクリル酸ポリマーから随意に調整されたものを含み、これは、限定ではないが、商標「ＣＡＲＢＯＰＯＬ（登録商標）９３４」、「ＣＡＲＢＯＰＯＬ（登録商標）９３４Ｐ」、「ＣＡＲＢＯＰＯＬ（登録商標）９４０」「ＣＡＲＢＯＰＯＬ（登録商標）９４１」の下でＢ．Ｆ．Ｇｏｏｄｒｉｃｈ（Ｃｉｎｃｉｎｎａｔｉ，Ｏｈｉｏ）から商業的に入手可能なもののようなポリアルケニルポリエーテルで僅かに架橋されたポリアクリル酸ポリマーを含む。
【００５５】
[0060]
更なる好適な吸収剤は、カラヤゴム、ガティガム、トラガカントゴム、キサンタンガム、ｊａｒａｙａゴムなどを含む天然の植物滲出液のような親水性多糖類ゴム、同様にグアーゴム、ローカストビーンガム、サイリウムシードガムなどのシードガムを含む。
【００５６】
[0061]
組成物に好適な硬化剤は、塩化カルシウム、リン酸カルシウム、及び硫酸カルシウムのようなカルシウム塩を含む。類似のマグネシウム塩は、硬化剤としても有効であり得る。
【００５７】
[0062]
親水コロイド組成物に使用することができる抗菌剤は、抗真菌剤（例えば、ホウ酸マグネシウム）、及びバシトラシン亜鉛、ポビドンヨード、塩化ベンザルコニウム、硫酸ネオマイシン、硫酸ポリミキシンＢ、スルファジアジン銀ムピロシンを含む他の既知の局所抗菌剤を含む。
【００５８】
親水コロイド含有シリコーンシース
[0063]
一実施形態において、本発明は、親水コロイドシリコーン組成物を含むシースを含むことができる。親水コロイドシリコーン組成物は、シリコーンゴム、ポリアクリル酸ポリマー、及び随意に中和剤を含むことができる。そのような実施形態において、親水コロイド組成物は、１つ以上のシリコーンゴム層の接着剤層、又は接着剤層とシリコーンゴム層の両方の接着剤層の組成物であることができる。
【００５９】
[0064]
一実施形態において、本カテーテル保持具は、親水コロイドシリコーン組成物から作成されたスリーブ又はシースを含むことができる。本カテーテル保持具は、接着剤の下に配置された親水コロイドシリコーン組成物の層を含むスリーブ又はシースを含むことができる。本発明に限定するものではないが、例えば、コンドームカテーテルを取り除くときに、接着剤の下の親水コロイドシリコーン組成物は、使用者快適性を増加させることができると思われる。例えば、接着剤の下の親水コロイドシリコーン組成物は、接着剤が付着する組織（例えば、皮膚）の浸軟を低減することができる。
【００６０】
[0065]
一実施形態において、弾力性材料の少なくとも一部分は、親水コロイドを含むことができる。あるいは、接着剤と弾力性材料の少なくとも一部分の両方は、親水コロイドを含む。
【００６１】
[0066]
一実施形態において、管状スリーブ又はシースは、弾力性材料（例えば、シリコーンゴム、親水コロイドシリコーン組成物、又はその両方の層）から作成することができ、内面及び外面を有することができる。
【００６２】
[0067]
本カテーテル保持具の作成方法の一実施形態において、方法は、親水コロイドシリコーン組成物をマンドレルに及び接着剤組成物の上に適用する工程と、親水コロイド接着剤組成物の層、親水コロイドシリコーン組成物、又はその両方を備えているコンドームカテーテルを形成するためにシリコーンゴムを硬化させる工程と、コンドームカテーテルをマンドレルから取り外す工程と、を含むことができる。
【００６３】
[0068]
図を参照すると、一実施形態において、カテーテル保持具１は、シリコーンゴム（例えば、本親水コロイドシリコーン組成物）から作成することができる。特定の実施形態において、カテーテル保持具１は、１つのシリコーンゴム溶液、または別々のシリコーンゴム溶液の２つ以上の層を組み合わせることによって作成することができる。例えば、１つの溶液がシリコーンゴムであることができ、別の溶液が親水コロイドシリコーン組成物の溶液であることができる。
【００６４】
方法
[0069]
本発明は、被術者をカテーテル処置する方法を含む。この方法は、カテーテル保持シースを提供する工程を含むことができる。このカテーテル保持シースは、尿道カテーテルのシャフトに結合するように構成されているカテーテル保持具を含むことができる。カテーテル保持具は、開口を画定することができる。開口の第一の部分は、開口を通る尿道カテーテルのシャフトの軸方向移動を可能にするように構成することができる。開口の第二の部分は、尿道カテーテルのシャフトを保持するように構成することができる。この方法は、また、尿道カテーテルのシャフトを開口の第一の部分の中に挿入する工程と、尿道カテーテルのシャフトの一部分を被術者の尿道の中に挿入する工程と、尿道カテーテルのシャフトを開口の第一の部分から開口の第二の部分の中に付勢する工程と、を含む。
【００６５】
[0070]
本発明は、カテーテル保持シースを作成する方法を含む。この方法は、シリコーンゴムをマンドレルの一部分に適用する工程と、シリコーンゴムに開口を形成する工程と、を含む。開口の第一の部分は、開口を通る尿道カテーテルのシャフトの軸方向移動を可能にするように構成することができる。開口の第二の部分は、尿道カテーテルのシャフトを保持するように構成することができる。この方法は、また、開口を画定するカテーテル保持シースを形成するためにシリコーンゴムを硬化させる工程を含む。
【００６６】
[0071]
本明細書および添付の請求項において使用されるとき、単数形「ａ」、「ａｎ」、および「ｔｈｅ」は、文脈上そうでないとする明確な指示がない限り、複数の指示物を含むことに留意されなければならない。このように、例えば、「化合物」を含む組成物への言及は、２つ以上の化合物の混合物を含む。用語「または」は、概して、文脈上そうでないとする明確な指示がない限り、「および／または」を含む意味で使用されることにも留意されなければならない。
【００６７】
[0072]
また、本明細書及び添付の請求項において使用されるとき、用語「構成される」は、特定の役割を実行するか、又は特定の構成を採用するように構築又は構成されているシステム、装置、又は他の構造を記述していることに留意されたい。用語「構成される」は、配列される、配列および構成される、構築および配列される、構築される、製造および配列されるなどの他の類似語と互換的に使用することができる。
【００６８】
[0073]
本明細書の中の全刊行物および特許出願は、本発明が関係する当業者の水準を示している。
【００６９】
[0074]
本発明は、様々な特定の及び好適な実施形態及び技術に関して述べられてきた。しかしながら、多くの変形又は修正が、本発明の趣旨及び範囲の内にあることを維持しながらなされてもよいことが理解されなければならない。
【図１】
0006316837.tif 000002
【図２】
0006316837.tif 000003
【図３】
0006316837.tif 000004
【図４】
0006316837.tif 000005
【図５】
0006316837.tif 000006
【図６】
0006316837.tif 000007